(57)【特許請求の範囲】
【請求項１】
ＹＡＧレーザー基本波を発振するＹＡＧレーザー発振器と、該ＹＡＧレーザー発振器から発振されるＹＡＧレーザー基本波からＹＡＧレーザー第２高調波を発生させるＹＡＧレーザー第２高調波発生器と、該ＹＡＧレーザー第２高調波発生器により発生するＹＡＧレーザー第２高調波及び前記のＹＡＧレーザー発振器から発振されるＹＡＧレーザー基本波からＹＡＧレーザー第３高調波を発生させるＹＡＧレーザー第３高調波発生器と、該ＹＡＧレーザー第３高調波発生器により発生するＹＡＧレーザー第３高調波から該ＹＡＧレーザー第３高調波とは異なる波長を有するレーザー光を発生させる光パラメトリック発振器と、該光パラメトリック発振器により発生するレーザー光を癌治療用として病巣部へ導く一方の照射用光ファイバーと、ＹＡＧレーザー発振器から発振されるＹＡＧレーザー基本波を生体組織治療用として病巣部へ導く他方の照射用光ファイバーとを備えてなることを特徴とするレーザー治療装置。
【請求項２】
ＹＡＧレーザー基本波を発振するＹＡＧレーザー発振器と、該ＹＡＧレーザー発振器から発振されるＹＡＧレーザー基本波からＹＡＧレーザー第２高調波を発生させるＹＡＧレーザー第２高調波発生器と、該ＹＡＧレーザー第２高調波発生器により発生するＹＡＧレーザー第２高調波及び前記のＹＡＧレーザー発振器から発振されるＹＡＧレーザー基本波からチタンサファイアレーザー基本波を発生させるチタンサファイアレーザー発生装置と、該チタンサファイアレーザー発生装置により発生するチタンサファイアレーザー基本波を癌治療用として病巣部へ導く一方の照射用光ファイバーと、ＹＡＧレーザー発振器から発振されるＹＡＧレーザー基本波を生体組織治療用として病巣部へ導く他方の照射用光ファイバーとを備えてなることを特徴とするレーザー治療装置。
【発明の詳細な説明】
【０００１】
【産業上の利用分野】
本発明はレーザー治療装置に関するものである。
【０００２】
【従来の技術】
近年、医療分野においてレーザー光を利用した種々の治療が実施されている。
【０００３】
レーザー光を利用する治療装置には、特公昭６３−２６３３号公報に開示されたレーザー光パルスを用いた癌の治療装置や、特公昭６３−２１０３１号公報に開示された内視鏡装置がある。
【０００４】
特公昭６３−２６３３号公報におけるレーザーパルス光を用いた癌の治療装置は、癌組織に対して親和性のある光感受性物質を吸収させた病巣部に、所定の波長のレーザー光を照射して前記の癌組織を破壊するものである。
【０００５】
一方、特公昭６３−２１０３１号公報における内視鏡装置は、内視鏡から病巣部に対して所定の波長のレーザー光を照射することにより生体組織の凝固、止血、蒸散（切除、切開）を行うものである。
【０００６】
【発明が解決しようとする課題】
しかしながら、同一の病巣部に対して前記の光感受性物質を用いた治療及び生体組織の凝固、止血、蒸散等による治療を実施する場合には、特公昭６３−２６３３号公報のレーザーパルス光を用いた癌の治療装置と特公昭６３−２１０３１号公報の内視鏡装置との双方を用意する必要がある。
【０００７】
また、前記のレーザーパルス光を用いた癌の治療装置では、レーザー光の発生装置としてエキシマレーザー励起色素レーザーを使用しているので、励起用レーザーの波長が３０８ｎｍと短いためにレーザー媒質としての色素の寿命が短く、またエキシマレーザー自体についても気体媒質であるガスを頻繁に交換する必要があり、これに伴って共振器を構成するミラーの洗浄も必要になる。
【０００８】
本発明は上述した課題を解決するもので、保守が容易で且つ光感受性物質を用いたレーザー治療と生体組織の凝固、止血、蒸散によるレーザー治療の双方を実施することが可能なレーザー治療装置を提供することを目的としている。
【０００９】
【課題を解決するための手段】
上記目的を達成するため、本発明の請求項１に記載したレーザー治療装置においては、ＹＡＧレーザー基本波を発振するＹＡＧレーザー発振器と、該ＹＡＧレーザー発振器から発振されるＹＡＧレーザー基本波からＹＡＧレーザー第２高調波を発生させるＹＡＧレーザー第２高調波発生器と、該ＹＡＧレーザー第２高調波発生器により発生するＹＡＧレーザー第２高調波及び前記のＹＡＧレーザー発振器から発振されるＹＡＧレーザー基本波からＹＡＧレーザー第３高調波を発生させるＹＡＧレーザー第３高調波発生器と、該ＹＡＧレーザー第３高調波発生器により発生するＹＡＧレーザー第３高調波から該ＹＡＧレーザー第３高調波とは異なる波長を有するレーザー光を発生させる光パラメトリック発振器と、該光パラメトリック発振器により発生するレーザー光を癌治療用として病巣部へ導く一方の照射用光ファイバーと、ＹＡＧレーザー発振器から発振されるＹＡＧレーザー基本波を生体組織治療用として病巣部へ導く他方の照射用光ファイバーとを備えている。
【００１０】
また、同様に、本発明の請求項２に記載したレーザー治療装置においては、ＹＡＧレーザー基本波を発振するＹＡＧレーザー発振器と、該ＹＡＧレーザー発振器から発振されるＹＡＧレーザー基本波からＹＡＧレーザー第２高調波を発生させるＹＡＧレーザー第２高調波発生器と、該ＹＡＧレーザー第２高調波発生器により発生するＹＡＧレーザー第２高調波及び前記のＹＡＧレーザー発振器から発振されるＹＡＧレーザー基本波からチタンサファイアレーザー基本波を発生させるチタンサファイアレーザー発生装置と、該チタンサファイアレーザー発生装置により発生するチタンサファイアレーザー基本波を癌治療用として病巣部へ導く一方の照射用光ファイバーと、ＹＡＧレーザー発振器から発振されるＹＡＧレーザー基本波を生体組織治療用として病巣部へ導く他方の照射用光ファイバーとを備えている。
【００１１】
【作用】
本発明の請求項１に記載したレーザー治療装置においては、ＹＡＧレーザー第２高調波発生器によりＹＡＧレーザー基本波からＹＡＧレーザー第２高調波を発生させ、ＹＡＧレーザー第３高調波発生器によりＹＡＧレーザー基本波とＹＡＧレーザー第２高調波からＹＡＧレーザー第３高調波を発生させる。
【００１２】
更に、光パラメトリック発振器によってＹＡＧレーザー第３高調波から光感受性物質の特性に対応する波長のレーザー光を発生させ、この光パラメトリック発振器により発生したレーザー光を光感受性物質を吸収させた病巣部に照射して該病巣部の治療を行う。
【００１３】
また、ＹＡＧレーザー発振器から発振されるＹＡＧレーザー基本波を病巣部に照射して該病巣部の治療を行う。
【００１４】
本発明の請求項２に記載したレーザー治療装置においては、ＹＡＧレーザー第２高調波発生器によりＹＡＧレーザー基本波からＹＡＧレーザー第２高調波を発生させる。
【００１５】
更に、チタンサファイアレーザー発生装置によりＹＡＧレーザー基本波とＹＡＧレーザー第２高調波から光感受性物質の特性に対応する波長のチタンサファイアレーザー基本波を発生させ、このチタンサファイアレーザー基本波を光感受性物質を吸収させた病巣部に照射して該病巣部の治療を行う。
【００１６】
また、ＹＡＧレーザー発振器から発振されるＹＡＧレーザー基本波を病巣部に照射して該病巣部の治療を行う。
【００１７】
【実施例】
以下本発明の実施例を図面を参照しつつ説明する。
【００１８】
図１及び図２は本発明のレーザー治療装置の第１の実施例を示すものであり、本実施例は本発明の請求項１に対応する。
【００１９】
１は固体レーザー発生装置であり、該固体レーザー発生装置１は、所定波長のレーザー光を発生させるＹＡＧレーザー発生部２と、該ＹＡＧレーザー発生部２において発生するレーザー光により異なる波長のレーザー光を発生させる光パラメトリック発振部３とから構成されている。
【００２０】
前記の固体レーザー発生装置１には、ＹＡＧレーザー発生部２へ冷却水を供給して該ＹＡＧレーザー発生部２の温度上昇を抑制するための冷却水供給管４が接続されている。
【００２１】
５は内視鏡であり、該内視鏡５は病巣部６の観察及び治療に用いるものである。
【００２２】
内視鏡５は、照明用キセノンランプ７が発する光を病巣部６へ導き該病巣部６を照明するための照明用光ファイバー８と、病巣部６を観察するための観察用光ファイバー９と、前記の固体レーザー発生装置１において発生するレーザー光を病巣部６に照射するための照射用光ファイバー１０，１１とを備えている。
【００２３】
更に、前記の内視鏡５には、照明用光ファイバー８、観察用光ファイバー９、照射用光ファイバー１０，１１の各先端部へ洗浄水、洗浄エアーを送給して照明用光ファイバー８、観察用光ファイバー９、照射用光ファイバー１０，１１の各線端部を洗浄するための洗浄水供給管１２と洗浄エアー供給管１３とが接続されるとともに、洗浄水供給管１２と洗浄エアー供給管１３により供給された水及びエアーを排出するための排水排気管１４が接続できるようになっている。
【００２４】
１５は画像表示装置であり、該画像表示装置１５は病巣部６の観察に用いるものである。
【００２５】
画像表示装置１５は、前記の観察用光ファイバー９を介して病巣部６の撮影を行うカラーテレビカメラ１６と、該カラーテレビカメラ１６より出力される画像信号１７を画像処理信号１８に変換する画像処理部１９と、前記の画像処理信号１８に基づき病巣部６の実写画像を映像表示するテレビモニター２０と、前記の画像処理信号１８を記録し且つ記録した画像処理信号１８を画像処理部１９を介してテレビモニター２０へ送り、病巣部６の実写画像をテレビモニター２０により再生映像表示させ得るビデオテープレコーダー等の記録再生装置２１とを備えている。
【００２６】
２２は操作パネルであり、該操作パネル２２は、取扱い者が入力操作を行うことにより、前記の固体レーザー発生装置１、画像表示装置１５、照明用キセノンランプ７を作動させるための指令信号２３を出力するようになっている。
【００２７】
２４は制御装置であり、該制御装置２４は前記の指令信号２３に基づき、固体レーザー発生装置１を作動させるための作動信号２５をＹＡＧレーザー発生部２へ、また、画像表示装置１５を作動させるための作動信号２６を画像処理部１９へ、更に、照明用キセノンランプ７に点灯指令信号２７を出力するようになっている。
【００２８】
以下、前記の固体レーザー発生装置１のＹＡＧレーザー発生部２の構成を図２より説明する。
【００２９】
２８は波長１０６４ｎｍのレーザー光（ＹＡＧレーザー基本波）を発振するＹＡＧレーザー発振器であり、該ＹＡＧレーザー発振器２８は、Ｑスイッチ印加電圧調整装置２９により図５に示す如く電圧をＯＮ−ＯＦＦして尖頭値の高い極短パルスレーザー光を発生させるＱスイッチパルス発振を行うことと、図６に示す如く常時電圧をかけてパルス幅の長いパルスレーザー光を発生させるノーマルパルス発振を行うことができるようになっている。
【００３０】
３０は全反射ミラーであり、該全反射ミラー３０は、前記のＹＡＧレーザー発振器２８により発振されるＹＡＧレーザー基本波の光路に位置し得られるように設けられている。
【００３１】
この全反射ミラー３０をＹＡＧレーザー基本波の光路に位置させ、前記のＹＡＧレーザー発振器２８よりノーマルパルスのＹＡＧレーザー基本波（図６参照）を発振させると、全反射ミラー３０によって反射するＹＡＧレーザー基本波が前記の内視鏡５の照射用光ファイバー１１（図１参照）へ導かれるようになっている。
【００３２】
３１はＹＡＧレーザー第２高調波発生器であり、該ＹＡＧレーザー第２高調波発生器３１は、前記のＹＡＧレーザー発振器２８が発振するＹＡＧレーザー基本波から、
１／λ２＝１／λ１＋１／λ１…（１）
（λ１：ＹＡＧレーザー基本波、λ２：ＹＡＧレーザー第２高調波）
の関係（第２高調波発生）によって波長５３２ｎｍのレーザー光（ＹＡＧレーザー第２高調波）を発生させるようになっている。
【００３３】
３２は全反射ミラーであり、該全反射ミラー３２は、前記のＹＡＧレーザー第２高調波発生器３１において発生するＹＡＧレーザー第２高調波とＹＡＧレーザー第２高調波発生器３１においてＹＡＧレーザー第２高調波に変換されなかった残りのＹＡＧレーザー基本波の双方を反射するようになっている。
【００３４】
３３は全反射ミラーであり、該全反射ミラー３３は、前記の全反射ミラー３２からのＹＡＧレーザー基本波とＹＡＧレーザー第２高調波の双方を反射するようになっている。
【００３５】
３４はＹＡＧレーザー第３高調波発生器であり、該ＹＡＧレーザー第３高調波発生器３４は、前記の全反射ミラー３３により反射するＹＡＧレーザー基本波とＹＡＧレーザー第２高調波とから、
１／λ３＝１／λ１＋１／λ２…（２）
（λ１：ＹＡＧレーザー基本波、λ２：ＹＡＧレーザー第２高調波、λ３：ＹＡＧレーザー第３高調波）の関係（第３高調波発生）によって波長３５５ｎｍのレーザー光（ＹＡＧレーザー第３高調波）を発生させるようになっている。
【００３６】
３５はダイクロイックミラーであり、該ダイクロイックミラー３５は、前記のＹＡＧレーザー第３高調波発生器３４により発生するＹＡＧレーザー第３高調波のみ反射し且つＹＡＧレーザー第３高調波発生器３４により変換されなかった残りのＹＡＧレーザー基本波とＹＡＧレーザー第２高調波とを透過させるようになっている。
【００３７】
３６はビームダンパーであり、該ビームダンパー３６は、前記のダイクロイックミラー３５を透過するＹＡＧレーザー基本波とＹＡＧレーザー第２高調波とを遮断するようになっている。
【００３８】
３７は全反射ミラーであり、該全反射ミラー３７は、前記ダイクロイックミラー３５によって反射するＹＡＧレーザー第３高調波を反射するようになっている。
【００３９】
次に、光パラメトリック発振部３の構成を説明する。
【００４０】
３８は光パラメトリック発振器であり、該光パラメトリック発振器３８は、ＢＢＯ結晶等の非線形光学結晶３９と、該非線形光学結晶３９を介して対峙するエンドミラー（共振器ミラー）４０並びにフロントミラー（共振器ミラー）４１とを有している。
【００４１】
光パラメトリック発振器３８は、前記の全反射ミラー３７によって反射されるＹＡＧレーザー第３高調波から、
１／λｐ＝１／λｓ＋１／λｉ…（３）
（λｐ：励起光波＝ＹＡＧレーザー第３高調波、λｓ：シグナル光波、λｉ：アイドラ光波）の関係（光パラメトリック発振）によってシグナル光とアイドラ光とを発生させるようになっている。
【００４２】
上記の光パラメトリック発振器３８においては、励起光波λｐが決れば非線形光学結晶３９の角度によって、シグナル光波λｓとアイドラ光波λｉが定まるようになっている。
【００４３】
４２はプリズムであり、該プリズム４２は、光パラメトリック発振器３８により発生するシグナル光及びアイドラ光と光パラメトリック発振器３８によって変換されなかった励起光（ＹＡＧレーザー第３高調波）とを各波長ごとに分離するようになっている。
【００４４】
これら分離されたレーザー光のうち、シグナル光が前記の内視鏡５の照射用光ファイバー１０（図１参照）へ導かれるようになっている。
【００４５】
以下、本実施例の作動を説明する。
【００４６】
病巣部６の治療を行う際には、癌組織に対して親和性を有する光感受性物質であるヘマトポルフィリン誘導体（ＨＰＤ）を、患者の血管へ注入することにより、予め病巣部６へ吸収させておく。
【００４７】
上記ヘマトポルフィリン誘導体は、癌組織に対しては特異的に吸収されるが、正常な生体組織にはほとんど吸収されない。
【００４８】
ヘマトポルフィリン誘導体を吸収した病巣部６に、波長６３０ｎｍのレーザー光を照射すると、該レーザー光は、ヘマトポルフィリン誘導体を吸収した癌組織を破壊し、一方、ヘマトポルフィリン誘導体をほとんど吸収していない正常な生体組織に対しては影響を与えない。
【００４９】
病巣部６にヘマトポルフィリン誘導体を吸収させたならば、内視鏡５をその先端部が病巣部６と略対峙するように位置させる。
【００５０】
一方、図２に示す非線形光学結晶３９の角度を前記の式（３）におけるシグナル光波λｓが６３０ｎｍになるように設定しておく。
【００５１】
この状態で、操作パネル２２を操作することにより、該操作パネル２２から画像表示装置１５、照明用キセノンランプ７を作動させるための指令信号２３を制御装置２４に出力させ、該制御装置２４から画像処理部１９へ作動信号２６を、また、照明用キセノンランプ７へ点灯指令信号２７を出力させて、照明用キセノンランプ７が発する光により病巣部６を照明するとともに、カラーテレビカメラ１６が撮影した病巣部６の実写画像をテレビモニター２０に映像表示し、病巣部６の観察を行う。
【００５２】
次いで、操作パネル２２を操作することにより、該操作パネル２２から固体レーザー発生装置１を作動させるための指令信号２３を制御装置２４へ出力させ、該制御装置２４からＹＡＧレーザー発生部２へ作動信号２５を出力させる。
【００５３】
ＹＡＧレーザー発生部２にＱスイッチパルス発振（図５参照）を指示する作動信号２５が入力されると、図２に示すＹＡＧレーザー発振器２８が作動し、該ＹＡＧレーザー発振器２８から波長１０６４ｎｍのＱスイッチパルスレーザー光（ＹＡＧレーザー基本波）が発振され、ＹＡＧレーザー第２高調波発生器３１によって、前記の式（１）の関係によりＹＡＧレーザー基本波から波長５３２ｎｍのＹＡＧレーザー第２高調波が発生する。
【００５４】
このＹＡＧレーザー第２高調波及びＹＡＧレーザー第２高調波発生器３１により変換されずに残ったＹＡＧレーザー基本波は、全反射ミラー３２，３３を経てＹＡＧレーザー第３高調波発生器３４に入射し、該ＹＡＧレーザ第３高調波発生器３４によって、前記の式（２）の関係によりＹＡＧレーザー基本波とＹＡＧレーザー第２高調波とから波長３５５ｎｍのＹＡＧレーザー第３高調波が発生する。
【００５５】
このＹＡＧレーザー第３高調波とＹＡＧレーザー第３高調波発生器３４により変換されずに残ったＹＡＧレーザー基本波及びＹＡＧレーザー第２高調波は、ダイクロイックミラー３５に入射し、該ダイクロイックミラー３５によりＹＡＧレーザー第３高調波が反射されて光パラメトリック発振器３８に入射するとともに、ＹＡＧレーザー基本波とＹＡＧレーザー第２高調波がダイクロイックミラー３５を透過してビームダンパー３６に遮断される。
【００５６】
光パラメトリック発振器３８にＹＡＧレーザー第３高調波が入射すると、前記の式（３）の関係によって、ＹＡＧレーザー第３高調波から、波長６３０ｎｍのレーザー光（シグナル光）と波長８１３ｎｍのレーザー光（アイドラ光）とが発生する。
【００５７】
この波長６３０ｎｍのレーザー光と、波長８１３ｎｍのレーザー光及び光パラメトリック発振器３８により変換されずに残ったＹＡＧレーザー第３高調波（励起光）は、プリズム４２に入射して各波長ごとに分離される。
【００５８】
これら分離されたレーザー光のうち、波長６３０ｎｍのレーザー光が前記の内視鏡５の照射用光ファイバー１０（図１参照）へ導かれ、該照射用光ファイバー１０を介して病巣部６へ照射され、波長６３０ｎｍのレーザー光によってヘマトポルフィリン誘導体を吸収した癌組織が破壊される。
【００５９】
上述した癌治療においては、光感受性物質にヘマトポルフィリン誘導体を用いたが、ヘマトポルフィリン誘導体以外の他の光感受性物質を用いる場合には、光パラメトリック発振器３８の非線形光学結晶３９の角度を適宜調整することによって、光パラメトリック発振器より発振されるレーザー光の波長を光感受性物質の特性に対応させるようにすればよい。
【００６０】
一方、病巣部６に対して生体組織の凝固、止血、蒸散（切除、切開）等の治療を行う際には、全反射ミラー３０をＹＡＧレーザー発振器２８により発振されるＹＡＧレーザー基本波の光路に位置させる。
【００６１】
このようにＹＡＧレーザー基本波の光路に全反射ミラー３０を位置させ、ＹＡＧレーザー発生部２にノーマルパルス発振（図６参照）を指示する作動信号２５が入力されると、ＹＡＧレーザー発振器２８から発振される波長１０６４ｎｍのノーマルパルスレーザー光（ＹＡＧレーザー基本波）が内視鏡５の照射用光ファイバー１１（図１参照）へ導かれ、波長１０６４ｎｍのノーマルパルスレーザー光を病巣部６へ照射され、生体組織の凝固、止血、蒸散（切除、切開）等を行うことができる。
【００６２】
図３及び図４は本発明のレーザー治療装置の第２の実施例を示すものであり、本実施例は本発明の請求項２に対応する。
【００６３】
本実施例は、前述した第１の実施例における光パラメトリック発振を利用した固体レーザー発生装置１を、チタンサファイアレーザーを用いた固体レーザー発生装置４３に置換した構成を有し、図中、図１及び図２と同一の符号を付した部分は同一物を表している。
【００６４】
固体レーザー発生装置４３は、所定波長のレーザー光を発生させるＹＡＧレーザー発生部４４と、該ＹＡＧレーザー発生部４４において発生するレーザー光により異なる波長のレーザー光を発生させるチタンサファイアレーザー発生部４５とから構成されている。
【００６５】
固体レーザー発生装置４３には、ＹＡＧレーザー発生部４４へ冷却水を供給して該ＹＡＧレーザー発生部４４の温度上昇を抑制するための冷却水供給管４が接続されている。
【００６６】
以下、前記の固体レーザー発生装置４３のＹＡＧレーザー発生部４４の構成を図４より説明する。
【００６７】
ＹＡＧレーザー発生部４４は、図２に示すＹＡＧレーザー発生部２と同様に、Ｑスイッチ印加電圧調整装置２９により図５に示す如く電圧をＯＮ−ＯＦＦして尖頭値の高い極短パルスレーザー光を発生させるＱスイッチパルス発振を行い且つ図６に示す如く常時電圧をかけてパルス幅の長いパルスレーザー光を発生させるノーマルパルス発振を行う励起用のＹＡＧレーザー発振器２８と、該ＹＡＧレーザー発振器２８により発振されるＹＡＧレーザー基本波の光路に位置し得られるように設けた全反射ミラー３０と、ＹＡＧレーザー発振器２８が発振するＹＡＧレーザー基本波から、前記の式（１）の関係によって波長５３２ｎｍのレーザー光（ＹＡＧレーザー第２高調波）を発生するＹＡＧレーザー第２高調波発生器３１と、該ＹＡＧレーザ第２高調波発生器３１においてＹＡＧレーザー第２高調波を反射し且つＹＡＧレーザー第２高調波発生器３１においてＹＡＧレーザー第２高調波に変換されなかった残りのＹＡＧレーザー基本波を透過させるダイクロイックミラー５９と、該ダイクロイックミラー５９を透過するＹＡＧレーザー基本波を遮断するビームダンパー６０とを備えている。
【００６８】
前記の全反射ミラー３０をＹＡＧレーザー基本波の光路に位置させ、ＹＡＧレーザー発振器２８よりノーマルパルスのＹＡＧレーザー基本波（図６参照）を発振させると、全反射ミラー３０によって反射するＹＡＧレーザー基本波が内視鏡５の照射用光ファイバー１１（図１参照）へ導かれるようになっている。
【００６９】
４６はハーフミラーであり、該ハーフミラー４６は、前記のダイクロイックミラー５９により反射されるＹＡＧレーザー第２高調波の一部を反射するようになっている。
【００７０】
４７はレンズであり、該レンズ４７は、前記のハーフミラー４６を透過するＹＡＧレーザー第２高調波を収束させるようになっている。
【００７１】
４８は全反射ミラーであり、該全反射ミラー４８は、前記のハーフミラー４６により反射するＹＡＧレーザー第２高調波を反射するようになっている。
【００７２】
４９はレンズであり、該レンズ４９は前記の全反射ミラー４８により反射するＹＡＧレーザー第２高調波を収束させるようになっている。
【００７３】
次に、チタンサファイアレーザー発生部４５の構造を説明する。
【００７４】
５０はチタンサファイアレーザー発生装置であり、該チタンサファイアレーザー発生装置５０は、発振用チタンサファイアレーザーロッド５１と、複屈折フィルター等の波長同調素子（波長選択素子）５２と、共振器を構成するフロントミラー５３及びエンドミラー５４と、増幅用チタンサファイアレーザーロッド５５とを備えている。
【００７５】
発振用チタンサファイアレーザーロッド５１はＹＡＧレーザー第２高調波から波長６７０〜１１００ｎｍの波長成分の光を発生するものである。
【００７６】
この発振用チタンサファイアレーザーロッド５１には、ダイクロイックミラー５６によって前記のレンズ４７により収束するＹＡＧレーザー第２高調波が入射するようになっている。
【００７７】
上記のダイクロイックミラー５６は、ＹＡＧレーザー第２高調波以外の波長の光を透過させるようになっている。
【００７８】
波長同調素子５２は、発振用チタンサファイアレーザーロッド５１によって発生する波長６７０〜１１００ｎｍの波長成分を有する光のうちの特定波長の光のみをよく透過させる特性を有し、発振用チタンサファイアレーザーロッド５１により発生する波長６７０〜１１００ｎｍの波長成分を有する光を共振させるフロントミラー５３及びエンドミラー５４の間に配置されている。
【００７９】
増幅用チタンサファイアレーザーロッド５５は前記の波長同調素子５２を透過し且つフロントミラー５３及びエンドミラー５４によって共振してフロントミラー５３より射出される波長６７０〜１１００ｎｍ間の任意波長のチタンサファイアレーザー基本波を増幅するものである。
【００８０】
この増幅用チタンサファイアレーザーロッド５５には、ダイクロイックミラー５７によって前記のレンズ４９により収束するＹＡＧレーザー第２高調波が励起光として入射し且つ増幅すべきフロントミラー５３より射出される波長６７０〜１１００ｎｍ間の任意波長のチタンサファイアレーザー基本波が入射するようになっている。
【００８１】
上記のダイクロイックミラー５７は、ＹＡＧレーザー第２高調波以外の波長の光を透過させるようになっている。
【００８２】
５８はプリズムであり、該プリズム５８は、上記構成を有するチタンサファイアレーザー発生装置５０の増幅用チタンサファイアレーザーロッド５５から射出される波長６７０〜１１００ｎｍ間の任意波長のチタンサファイアレーザー基本波とＹＡＧレーザー第２高調波とを各波長ごとに分離するようになっている。
【００８３】
これら分離されたレーザー光のうち、チタンサファイアレーザー基本波が内視鏡５の照射用光ファイバー１０（図３参照）へ導かれるようになっている。
【００８４】
なお、本実施例においては、制御装置２４から固体レーザー発生装置４３を作動させるための作動信号２５がＹＡＧレーザー発生部４４へ出力されるようになっている。
【００８５】
以下、本実施例の作動を説明する。
【００８６】
病巣部６の治療を行う際には、癌組織に対して親和性を有する光感受性物質を、患者の血管へ注入することにより、予め病巣部６へ吸収させておく。
【００８７】
一方、図４に示す波長同調素子５２の光学的特性を、病巣部６に吸収させた光感受性物質に適合する波長の光が透過するように設定しておく。
【００８８】
この状態で、操作パネル２２を操作することにより、図１及び図２に示す先に述べたレーザー治療装置と同様に、照明用キセノンランプ７が発する光により病巣部６を照明するとともに、カラーテレビカメラ１６が撮影した病巣部６の実写画像をテレビモニター２０に映像表示し、病巣部６の観察を行う。
【００８９】
次いで、操作パネル２２を操作することにより、該操作パネル２２から固体レーザー発生装置４３を作動させるための指令信号２３を制御装置２４へ出力させ、該制御装置２４からＹＡＧレーザー発生部４４へ作動信号２５を出力させる。
【００９０】
ＹＡＧレーザー発生部４４に作動信号２５が入力されると、図４に示すＹＡＧレーザー発振器２８が作動し、該ＹＡＧレーザー発振器２８から波長１０６４ｎｍのＱスイッチパルスレーザー光（ＹＡＧレーザー基本波）が発振され、ＹＡＧレーザー第２高調波発生器３１によって、前記の式（１）の関係によりＹＡＧレーザー基本波から波長５３２ｎｍのＹＡＧレーザー第２高調波が発生する。
【００９１】
このＹＡＧレーザー第２高調波は、ダイクロイックミラー５９を経てハーフミラー４６に入射する。
【００９２】
ハーフミラー４６に入射するレーザー光のうち、ＹＡＧレーザー第２高調波の一部はハーフミラー４６を透過したうえレンズ４７により収束し、更にダイクロイックミラー５６を経て発振用チタンサファイアレーザーロッド５１に入射し、該発振用チタンサファイアレーザーロッド５１により波長６７０〜１１００ｎｍの波長成分を有する光が発生する。
【００９３】
この波長６７０〜１１００ｎｍの波長成分を有する光は、特定波長の光のみが波長同調素子５２を透過してフロントミラー５３及びエンドミラー５４により構成される共振器によって共振し、フロントミラー５３より光感受性物質に適合する波長のチタンサファイアレーザー基本波が射出される。
【００９４】
上記のチタンサファイアレーザー基本波は増幅用チタンサファイアレーザーロッド５５に入射する。
【００９５】
一方、ハーフミラー４６に入射するＹＡＧレーザー第２高調波は、ハーフミラー４６、全反射ミラー４８を経てレンズ４９により収束し、更にダイクロイックミラー５７を経て増幅用チタンサファイアレーザーロッド５５に入射する。
【００９６】
上記のＹＡＧレーザー第２高調波によって増幅用チタンサファイアレーザーロッド５５が励起され、該増幅用チタンサファイアレーザーロッド５５に入射する前記のチタンサファイアレーザー基本波が増幅される。
【００９７】
この増幅用チタンサファイアレーザーロッド５５から射出されるチタンサファイアレーザー基本波とＹＡＧレーザー第２高調波は、プリズム５８に入射して各波長ごとに分離される。
【００９８】
これら分離されたレーザー光のうち、チタンサファイアレーザー基本波が内視鏡５の照射用光ファイバー１０（図３参照）へ導かれ、該照射用光ファイバー１０を介して病巣部６へ照射され、チタンサファイアレーザー基本波によって光感受性物質を吸収した癌組織が破壊される。
【００９９】
一方、病巣部６に対して生体組織の凝固、止血、蒸散（切除、切開）等の治療を行う際には、全反射ミラー３０をＹＡＧレーザー発振器２８により発振されるＹＡＧレーザー基本波の光路に位置させる。
【０１００】
このようにＹＡＧレーザー基本波の光路に全反射ミラー３０を位置させ、ＹＡＧレーザー発生部２にノーマルパルス発振（図６参照）を指示する作動信号２５が入力されると、ＹＡＧレーザー発振器２８から発振される波長１０６４ｎｍのノーマルパルスレーザー光（ＹＡＧレーザー基本波）が内視鏡５の照射用光ファイバー１１（図１参照）へ導かれ、波長１０６４ｎｍのノーマルパルスレーザー光を病巣部６へ照射され、生体組織の凝固、止血、蒸散（切除、切開）等を行うことができる。
【０１０１】
なお、本発明のレーザー治療装置は、上述の実施例にのみ限定されるものではなく、光パラメトリック発振器あるいはチタンサファイアレーザー発生装置から出力されるレーザー光とＹＡＧレーザー発振器から出力されるＹＡＧレーザー基本波とをそれぞれ別箇の内視鏡を用いて病巣部に照射させるように構成すること、内視鏡を使わずに直接光ファイバーを体内に入れて病巣部に照射させるように構成すること、その他、本発明の要旨を逸脱しない範囲内において種々変更を加え得ることは勿論である。
【０１０２】
【発明の効果】
以上述べたように、本発明のレーザー治療装置によれば、下記のような種々の優れた効果を奏し得る。
【０１０３】
（１）本発明の請求項１に記載したレーザー治療装置では、ＹＡＧレーザー発振器、ＹＡＧレーザー第２高調波発生器、ＹＡＧレーザー第３高調波発生器、光パラメトリック発振器によって発生する光感受性物質の特性に対応する波長のレーザー光と、前記ＹＡＧレーザー発振器により発生するＹＡＧレーザー基本波との双方を、病巣部に照射して該病巣部の治療を行うことができるので、病巣部に対して効果的な治療を行うことが可能となるとともに、治療スペースの有効活用を図ることができる。
【０１０４】
（２）本発明の請求項２に記載したレーザー治療装置では、ＹＡＧレーザー発振器、ＹＡＧレーザー第２高調波発生器、チタンサファイアレーザー発生装置によって発生する光感受性物質の特性に対応する波長のチタンサファイアレーザー光と、前記ＹＡＧレーザー発振器により発生するＹＡＧレーザー基本波との双方を、病巣部に照射して該病巣部の治療を行うことができるので、病巣部に対して効果的な治療を行うことが可能となるとともに、治療スペースの有効活用を図ることができる。
【０１０５】
（３）本発明の請求項１並びに請求項２に記載したレーザー治療装置のいずれにおいても、ＹＡＧレーザー発振器を用いているので、装置のメンテナンスが容易になる。
【図面の簡単な説明】
【図１】本発明のレーザー治療装置の第１の実施例を示すブロック図である。
【図２】本発明のレーザー治療装置の第１の実施例における光学系の概念を示すブロック図である。
【図３】本発明のレーザー治療装置の第２の実施例を示すブロック図である。
【図４】本発明のレーザー治療装置の第２の実施例における光学系の概念を示すブロック図である。
【図５】Ｑスイッチパルス発振時における印加電圧及びパルスレーザー出力の経時を示すグラフである。
【図６】ノーマルパルス発振時における印加電圧及びパルスレーザー出力の経時を示すグラフである。
【符号の説明】
６        病巣部
２８    ＹＡＧレーザー発振器
３１    ＹＡＧレーザー第２高調波発生器
３４    ＹＡＧレーザー第３高調波発生器
３８    光パラメトリック発振器
５０    チタンサファイアレーザー発生装置
【図１】
0003571360.tif 000002
【図２】
0003571360.tif 000003
【図３】
0003571360.tif 000004
【図４】
0003571360.tif 000005
【図５】
0003571360.tif 000006
【図６】
0003571360.tif 000007